(57)【要約】【課題】  植物の害虫駆除のための従来の植物浸漬方法が、丈高植物に使用するとき不必要な設備の大型化を必要とする欠点を改善すると共に、丈の高低いずれの植物に対しても害虫駆除を行うことのできる害虫駆除方法を提供する。【解決手段】  害虫処理液の液面上に害虫の付着した植物を支持し、  上記植物に対し液体を多方向から噴射し、その噴射力により植物に付着した害虫を吹き落して上記害虫処理液に流下させる、液噴射力による植物害虫駆除方法。【選択図】        図４
2004187682.tif 000002
【特許請求の範囲】
【請求項１】
害虫処理液の液面上に害虫の付着した植物を支持し、
上記植物に対し液体を多方向から噴射し、その噴射力により植物に付着した害虫を吹き落して上記害虫処理液に流下させる、
液噴射力による植物害虫駆除方法。
【請求項２】
噴射液の外部への放出をほぼ遮断する遮へいカバーで少くとも周囲を囲った遮へい空間内において、害虫処理液の液面上に害虫の付着した植物を支持し、
上記植物に対し液体を多方向から噴射し、その噴射力により植物に付着した害虫を吹き落して上記害虫処理液に流下させる、
液噴射力による植物害虫駆除方法。
【請求項３】
噴射液の外部への放出をほぼ遮断する遮へいカバーで全面を囲った遮へい空間内において、害虫処理液の液面上に害虫の付着した植物を支持し、
上記植物に対し液体を多方向から噴射し、その噴射力により植物に付着した害虫を吹き落して上記害虫処理液に流下させる、
液噴射力による植物害虫駆除方法。
【請求項４】
害虫処理液を入れた槽と、
上記害虫処理液の液面上に支持される害虫つき植物と、
上記植物に対し液を噴射すべき噴射ノズルを有する液噴射装置と、
から構成される植物害虫駆除装置。
【請求項５】
害虫処理液を入れた槽と、
上記害虫処理液の液面上に支持される害虫つき植物と、
上記植物の周囲を囲み且つ上記害虫処理液面がわを開放した、噴射液の外部への放出を遮断する遮へいカバーと、
上記噴射液遮へいカバー内に、多方向から上記植物に液を噴射すべき複数の噴射ノズルを有する液噴射装置と、
から構成される植物害虫駆除装置。
【請求項６】
害虫処理液を入れた槽と、
上記害虫処理液の液面上に支持される害虫つき植物と、
上記植物の周囲及び上面を囲み且つ上記害虫処理液面がわを開放した、噴射液の外部への放出を遮断する遮へいカバーと、
上記噴射液遮へいカバー内に、多方向から上記植物に液を噴射すべき複数の噴射ノズルを有する液噴射装置と、
から構成される植物害虫駆除装置。
【発明の詳細な説明】
【技術分野】
【０００１】
本願発明は、水耕栽培、鉢植え栽培等による植物の栽培において、植物に付着した害虫を駆除する方法及びそれに使用される害虫駆除装置に関する。
【背景技術】
【０００２】
本発明者は、さきに、植物に付着した害虫の駆除方法として、植物を所定濃度の液体中に所要時間浸漬し、それにより付着した害虫を窒息死させる方法を提案し、それに使用する浸漬装置として、植物水耕栽培における栽培槽内の培養液液面に浮かべた多数の植物を植えたパネル（以下植物植設パネルという）をチェンコンベアに連結し、該コンベアの駆動により植物植設パネルを培養液中に移動させて所要時間浸漬を行った後培養液外へ移動させるもの、あるいは、栽培槽内の液をポンプにより貯槽に移して栽培槽内の植物植設パネルを降下させ、所定降下位置で各パネルを浮上不能にロックした後上記貯槽内の液を栽培槽に戻して植物植設パネルを所要時間液中に浸漬した後、ロックを解除して植物植設パネルを浮上させるもの等を開発した。
【０００３】
しかし、いずれの従来装置も、トマト、キュウリ、ナス等の丈高植物の水耕栽培において、害虫駆除の浸漬を行うためには、予め栽培槽をより深くし、培養液を栽培に必要な量を超えて大量に入れておかなければならず、そのような不必要な設備の大型化、培養液の無駄な消費は農業経済上好ましくない。
【特許文献１】特許第３０００４４６号
【特許文献２】特許第３２３５０２４号
【発明の開示】
【発明が解決しようとする課題】
【０００４】
本願第１発明は、不必要な設備の大型化を避けると共に、丈の高低いずれの植物に対しても害虫駆除を行うことのできる害虫駆除方法を提供することを課題とし、
【０００５】
本願第２、第３発明は、上記基本発明の課題に加え、噴射液の無駄な使用を避けることのできる害虫駆除方法を提供することを課題とする。
【０００６】
本願第４発明は、上記第１発明の方法を有効に実施することのできる害虫駆除装置を提供することを課題とし、
【０００７】
本願第５、第６発明は、上記第２及び第３発明の方法を有効に実施することのできる害虫駆除装置を提供することを課題とする。
【課題を解決するための手段】
【０００８】
上記課題達成の手段として、本願第１発明は、
害虫処理液の液面上に害虫の付着した植物を支持し、
上記植物に対し液体を多方向から噴射し、その噴射力により植物に付着した害虫を吹き落して上記害虫処理液に流下させる、
液噴射力による植物害虫駆除方法を提案し、
【０００９】
又、本願第２発明は、
噴射液の外部への放出をほぼ遮断する遮へいカバーで少くとも周囲を囲った遮へい空間内において、害虫処理液の液面上に害虫の付着した植物を支持し、
上記植物に対し液体を多方向から噴射し、その噴射力により植物に付着した害虫を吹き落して上記害虫処理液に流下させる、
液噴射力による植物害虫駆除方法を提案し、
【００１０】
さらに、本願第３発明は、
噴射液の外部への放出をほぼ遮断する遮へいカバーで全面を囲った遮へい空間内において、害虫処理液の液面上に害虫の付着した植物を支持し、
上記植物に対し液体を多方向から噴射し、その噴射力により植物に付着した害虫を吹き落して上記害虫処理液に流下させる、
液噴射力による植物害虫駆除方法を提案する。
【００１１】
上記第１発明の実施に使用する装置として、本願第４発明は、
害虫処理液を入れた槽と、
上記害虫処理液の液面上に支持される害虫つき植物と、
上記植物に対し液を噴射すべき噴射ノズルを有する液噴射装置と、
から構成される植物害虫駆除装置を提案し、
【００１２】
又、上記第２発明の実施に使用する装置として、本願第５発明は、
害虫処理液を入れた槽と、
上記害虫処理液の液面上に支持される害虫つき植物と、
上記植物の周囲を囲み且つ上記害虫処理液面がわを開放した、噴射液の外部への放出を遮断する遮へいカバーと、
上記噴射液遮へいカバー内に、多方向から上記植物に液を噴射すべき複数の噴射ノズルを有する液噴射装置と、
から構成される植物害虫駆除装置を提案し、
【００１３】
さらに、上記第３発明の実施に使用する装置として、本願第６発明は、
害虫処理液を入れた槽と、
上記害虫処理液の液面上に支持される害虫つき植物と、
上記植物の周囲及び上面を囲み且つ上記害虫処理液面がわを開放した、噴射液の外部への放出を遮断する遮へいカバーと、
上記噴射液遮へいカバー内に、多方向から上記植物に液を噴射すべき複数の噴射ノズルを有する液噴射装置と、
から構成される植物害虫駆除装置を提案する。
【発明の効果】
【００１４】
本願第１発明の液噴射力による植物害虫駆除方法によれば、丈の高低いずれの植物に対しても、それに付着する害虫を液の噴射力により吹き落し、害虫処理液中に流入させて駆除を行うことができ、特にトマト、キュウリ、ナス等の丈高植物に対しては、不必要な設備の大型化を避けることができるのである。
【００１５】
本願第２発明の液噴射力による植物害虫駆除方法によれば、上記第１発明の効果に加え、周囲を囲う遮へいカバーにより植物に噴射される液を相当量回収することができ、使用液の無駄を抑制することができるのである。
【００１６】
本願第３発明の液噴射力による植物害虫駆除方法によれば、上記第１発明の効果に加え、全面を囲う遮へいカバーにより植物に噴射される液のほとんどを回収することができ、使用液の無駄を十分に抑制することができるのである。
【００１７】
本願第４発明の装置は上記第１発明の方法を、本願第５発明の装置は上記第２発明の方法を、又本願第６発明の装置は上記第３発明の方法をそれぞれ有効に実施することができるのである。
【実施例１】
【００１８】
まず、便宜上本願第６発明の害虫駆除装置の実施例について述べる。本例は、水耕栽培を利用した害虫駆除装置の例で、図１に示すように上面を開口した長方形横長の栽培槽（１）内に培養液（２）を入れ、該液（２）面に発砲スチロール製の多数枚の矩形板状定植パネル（３）…を槽（１）長手方向に小間隔をあけて隣接状態に浮かべ、この培養液（２）入り栽培槽（１）を害虫処理液入り槽として利用しつつ、門形の噴射処理装置（Ａ）を栽培槽（１）上にまたがる状態で、栽培槽（１）長手方向に移動自在に配置してある。
【００１９】
なお、上記栽培槽（１）は濾過装置（図示略）と接続され、その培養液（２）を常時濾過装置に送って濾過し、濾過液は栽培槽（１）に戻す循環式濾過を行っている。
【００２０】
噴射処理装置（Ａ）の構造は次のようである。図２、３において、門形フレーム（４）は上枠（５）及び左右側枠（６）、（６）を門形に連結したもので、その前後幅を上記定植パネル（３）のそれよりも適宜広く、その左右幅を上記栽培槽（１）のそれよりも若干広くしてあり、その左右側枠（６）、（６）を上記栽培槽（１）の左右外側に起立し、その上枠（５）を栽培槽（１）の開口上面の上方に位置させた状態にまたがらせると共に、左右側枠（６）、（６）の下端にそれぞれ取りつけた車輪（７）（７）、（７）（７）により上記栽培槽（１）に沿って長手方向に走行できるようにしてある。
【００２１】
上記門形フレーム（４）の内側には、上記定植パネル（３）及びそれに植えられた丈高植物（Ｐ）を覆う広さの噴射液遮へいカバー（８）が吊支してあり、該遮へいカバー（８）は、合成樹脂シート、ゴム引き布等の防水シートからなり、本例では、上面シート（９）を上枠（５）内面に張り、その左右側辺から、左右側面シート（１０）、（１０）を栽培槽（１）の内側の培養液（２）面近くまで垂下し、また前後側面には、上記上枠（５）の前後両辺下部に取りつけたカーテンレール（１１）、（１１）に、前後側面引き違いシート（１２）（１２）、（１２）（１２）をそれぞれ中央で開閉できるように吊ってある。遮へいカバー（８）の下面は、定植パネル（３）及び培養液（２）面に向けて全開放している。  
【００２２】
液噴射装置は次のようである。上記左右側枠（６）、（６）の外側面中間位置に支持台（１３）、（１３）をそれぞれ突設し、該支持台（１３）、（１３）上に液噴射ポンプ（１４）、（１４）をそれぞれ設置し、各ポンプの吐出口（１５）、（１５）に、先端に回転ノズルヘッド（１７）、（１７）を有するフレキシブル管（１６）、（１６）を継手（１８）、（１８）を介して着脱自在に接続し、該フレキシブル管（１６）、（１６）を、上記遮へいカバーの側面シート（１０）、（１０）に適宜開けた孔からカバー（８）内に突出させる。上記回転ノズルヘッド（１７）は、互に噴射方向の異なる複数の噴射ノズルを有すると共に支持軸について回転する構造のものである。上記ポンプ（１４）、（１４）の吸入口にそれぞれ接続したホース（１９）、（１９）の各先端は、上記栽培槽（１）の培養液（２）中にフィルターを介して挿入し、該培養液（２）を噴射液に使用するようにしてある。
【００２３】
上例の装置を使用した本願第３発明方法の実施例について説明する。引き違いシート（１２）（１２）、（１２）（１２）をそれぞれ左右に引いてカバー（８）の前後両面を開き、その状態で門形フレーム（４）を、害虫駆除を施すべき植物植設パネル（３）上に移動させ、そこで回転ノズルヘッド（１７）、（１７）を定植パネル（３）上の適正位置に配置した後、上記引き違いシート（１２）…を閉じて丈高植物（Ｐ）の周囲（前後面及び左右面）及び上面をカバー（８）によりかこむ。
【００２４】
次に、ポンプ（１４）、（１４）を駆動すると共にノズルヘッド（１７）、（１７）を回転させ、それにより各ノズルから培養液を多方向に向けて植物に噴射し、その噴射力により植物に付着する害虫を吹き落す。噴射ずみ液は遮へいカバー（８）に遮られてカバー内面をつたって流下し、その一部は害虫とともに直接培養液（２）中に流入し、残りは、パネル（３）上を流れて害虫とともに培養液（２）中に流入する。培養液（２）中に流入した使用ずみ噴射液は繰り返し噴射に使用される。
【００２５】
培養液（２）中に流入した害虫のほとんどは窒息死し、その死がいは濾過装置により回収される。
【００２６】
本例においては、培養液（２）を噴射液に使用し、噴射ずみ培養液は栽培槽（１）内に戻すことにより、培養液（２）に空気中の酸素を供給するエアレーション、及び植物の葉に養分を供給する葉面施肥を行う利点がある。
【００２７】
他の実施例として、上例における噴射処理装置（Ａ）に代え、アルミ合金パイプ等からなる軽量フレームに蚊帳状の透明遮へいカバーを吊支し、該遮へいカバーを植物にかぶせた状態でフレームを栽培槽の側壁上端に支持させ、そこで先端にノズルヘッドを有する長柄を手作業で操作して該ノズルヘッドを遮へいカバー内で所望位置、向きに変位させて植物の所望部位に液噴射を行うものもえられる。
【００２８】
さらに他の実施例として、鉢植え植物に実施する場合は、害虫処理液を入れた槽の上に案内レールを敷設し、該案内レール上を走行させて鉢植え植物を害虫処理液上に位置させると共に、鉢の土露出部分を防水シートで覆い、その状態で上記いずれかの噴射処理装置を使用して同様に液噴射を施す。
【実施例２】
【００２９】
本願第４発明の装置の実施例は、図１、２、３における噴射処理装置（Ａ）全体を除き、それに代って図４に示すように、先端に回転しないノズルヘッド（１７ａ）を有する長い剛性操作管（２０ａ）をフレキシブルホース（１６ａ）を介して水道蛇口に接続し、他の構造は図１、２、３と実質的に同一の例である。
【００３０】
本例の装置を使用した本願第１発明の方法の実施例は、図４のように作業員が上記剛性操作管（２０ａ）を持ってノズルヘッド（１７ａ）を丈高植物（Ｐａ）の下側に配置し、ついで水道蛇口を開いてノズルヘッド（１７ａ）から噴射される液を植物に噴射して害虫を吹き落す。操作管（２０ａ）の操作により液の噴射方向を適宜変更する。
【００３１】
噴射液の一部は回収不能となるが、植物に噴射された液のほとんどは栽培槽（１ａ）内に流下する。
【実施例３】
【００３２】
本願第５発明の装置の実施例は、図１、２、３における遮へいカバー（８）を、上面シート（９）を除き、左右側面シート（１０）、（１０）と前後側面引き違いシート（１２）（１２）、（１２）（１２）とからなるものとし、他の構造は図１、２、３と実質的に同一の例である。
【００３３】
本例の装置を使用した本願第２発明方法の実施例は、上述の本願第３発明方法の実施例と実質的に同一であるが、遮へいカバー（８）の上面シート（９）を除いてあるため噴射液の一部が開放上面から放散されるが、残部は左右側面シート（１０）、（１０）、前後側面引き違いシート（１２）（１２）、（１２）（１２）によって栽培槽（１）内に回収される。
【図面の簡単な説明】
【００３４】
【図１】本願第６発明による植物害虫駆除装置の一部省略平面図である。
【図２】図１のＩＩ−ＩＩ線断面図である。
【図３】噴射処理装置の斜面図である。
【図４】本願第４発明による植物害虫駆除装置の横断面図である。
【符号の説明】
【００３５】
１、１ａ  栽培槽
２、２ａ  培養液
３、３ａ  定植パネル
Ｐ、Ｐａ  丈高植物
８  噴射液遮へいカバー
９  上面シート
１０  左右側面シート
１２  前後側面引き違いシート
１４  液噴射ポンプ
１６  フレキシブル管
１７  回転ノズルヘッド
１６ａ  フレキシブルホース
１７ａ  ノズルヘッド
２０ａ  操作管
【図１】
2004187682.tif 000003
【図２】
2004187682.tif 000004
【図３】
2004187682.tif 000005
【図４】
2004187682.tif 000006